(57)【要約】【課題】  利用者以外の人間に関連情報が視認される可能性を抑えることができる情報表示装置を提供する。【解決手段】  情報表示装置１０は、情報を表示する情報表示部としての看板２０と、看板２０に表示されている情報の関連情報を記憶する情報記憶部としてのＩＣチップと、看板２０とは異なる表示装置であって関連情報を表示する関連情報表示装置としての外部の電子機器に、看板２０に記憶されている関連情報を、利用者の操作に応じて送信する情報送信部としての通信部とを備えていることを特徴とする。【選択図】  図１
2017215707.tif 000002
【特許請求の範囲】
【請求項１】
情報を表示する情報表示部と、
前記情報表示部に表示されている情報の関連情報を記憶する情報記憶部と、
前記情報表示部とは異なる表示装置であって前記関連情報を表示する関連情報表示装置に、前記情報記憶部に記憶されている前記関連情報を、利用者の操作に応じて送信する情報送信部とを備えていることを特徴とする情報表示装置。
【請求項２】
前記関連情報は、少なくとも一部の読み出しにパスワードが必要な情報であることを特徴とする請求項１に記載の情報表示装置。
【請求項３】
前記情報記憶部は、情報の書き換えが可能な装置であることを特徴とする請求項１または請求項２に記載の情報表示装置。
【請求項４】
前記情報記憶部は、前記情報表示部が表示する情報を記憶しており、
前記情報表示部は、前記情報記憶部に記憶されている情報を表示する表示装置であることを特徴とする請求項３に記載の情報表示装置。
【請求項５】
前記情報記憶部は、ＩＣ（Ｉｎｔｅｇｒａｔｅｄ  Ｃｉｒｃｕｉｔ）チップであり、
前記情報送信部は、接触および近距離無線通信の少なくとも一方によって前記関連情報表示装置としての外部の電子機器に前記関連情報を送信する通信部であることを特徴とする請求項１から請求項４までの何れかに記載の情報表示装置。
【請求項６】
前記外部の電子機器から発せられた電磁波によって発電する発電部を備え、
前記発電部は、前記ＩＣチップおよび前記通信部に電力を供給することを特徴とする請求項５に記載の情報表示装置。
【発明の詳細な説明】
【技術分野】
【０００１】
本発明は、広告などの情報を表示する情報表示装置に関する。
【背景技術】
【０００２】
従来、広告などの情報を表示する情報表示装置として、駅構内、商業施設内などに設置される情報表示装置が知られている（特許文献１参照。）。
【先行技術文献】
【特許文献】
【０００３】
【特許文献１】特開２０１１−１５００１２号公報
【発明の概要】
【発明が解決しようとする課題】
【０００４】
しかしながら、従来の情報表示装置は、表示されている情報の関連情報を利用者の操作に応じて表示することができないという問題がある。
【０００５】
また、表示されている情報の関連情報を利用者の操作に応じて表示することができる構成を従来の情報表示装置に追加することができたとしても、利用者以外の人間に関連情報が視認される可能性があるという問題がある。
【０００６】
そこで、本発明は、利用者以外の人間に関連情報が視認される可能性を抑えることができる情報表示装置を提供することを目的とする。
【課題を解決するための手段】
【０００７】
本発明の情報表示装置は、情報を表示する情報表示部と、前記情報表示部に表示されている情報の関連情報を記憶する情報記憶部と、前記情報表示部とは異なる表示装置であって前記関連情報を表示する関連情報表示装置に、前記情報記憶部に記憶されている前記関連情報を、利用者の操作に応じて送信する情報送信部とを備えていることを特徴とする。
【０００８】
この構成により、本発明の情報表示装置は、情報表示部に表示されている情報の関連情報を、情報表示部とは異なる表示装置に、利用者の操作に応じて表示させることができるので、利用者以外の人間に関連情報が視認される可能性を抑えることができる。
【０００９】
また、本発明の情報表示装置において、前記関連情報は、少なくとも一部の読み出しにパスワードが必要な情報であっても良い。
【００１０】
この構成により、本発明の情報表示装置は、関連情報の少なくとも一部を特定の利用者のみに取得させることができる。
【００１１】
また、本発明の情報表示装置において、前記情報記憶部は、情報の書き換えが可能な装置であっても良い。
【００１２】
この構成により、本発明の情報表示装置は、情報表示部に表示される情報の変更に応じて、関連情報も変更されることができる。
【００１３】
また、本発明の情報表示装置において、前記情報記憶部は、前記情報表示部が表示する情報を記憶しており、前記情報表示部は、前記情報記憶部に記憶されている情報を表示する表示装置であっても良い。
【００１４】
この構成により、本発明の情報表示装置は、関連情報だけではなく、情報表示部に表示される情報も容易に変更されることができる。
【００１５】
また、本発明の情報表示装置において、前記情報記憶部は、ＩＣ（Ｉｎｔｅｇｒａｔｅｄ  Ｃｉｒｃｕｉｔ）チップであり、前記情報送信部は、接触および近距離無線通信の少なくとも一方によって前記関連情報表示装置としての外部の電子機器に前記関連情報を送信する通信部であっても良い。
【００１６】
この構成により、本発明の情報表示装置は、接触および近距離無線通信の少なくとも一方によって外部の電子機器に関連情報を送信するので、情報表示部に表示されている情報の関連情報を電子機器の利用者に容易に取得させることができる。
【００１７】
また、本発明の情報表示装置は、前記外部の電子機器から発せられた電磁波によって発電する発電部を備え、前記発電部は、前記ＩＣチップおよび前記通信部に電力を供給しても良い。
【００１８】
この構成により、本発明の情報表示装置は、ＩＣチップと、通信部とに電力を供給するための大型の装置を必要としないので、小型化することができる。
【発明の効果】
【００１９】
本発明の情報表示装置は、利用者以外の人間に関連情報が視認される可能性を抑えることができる。
【図面の簡単な説明】
【００２０】
【図１】本発明の一実施の形態に係る情報表示装置の構成図である。
【図２】図１に示す情報記憶装置のブロック図である。
【図３】看板に表示されている製品に関する情報を更に取得することができる連絡先を利用者に取得させる場合の図１に示す情報記憶装置のフローチャートである。
【図４】看板に表示されている製品の仕様を利用者に取得させる場合の図１に示す情報記憶装置のフローチャートである。
【図５】図１に示す情報記憶装置から送信されたパスワード受付画面情報に基づいて電子機器によって表示されるパスワード受付画面の一例を示す図である。
【発明を実施するための形態】
【００２１】
以下、本発明の実施の形態について、図面を用いて説明する。
【００２２】
まず、本発明の一実施の形態に係る情報表示装置の構成について説明する。
【００２３】
図１は、本実施の形態に係る情報表示装置１０の構成図である。
【００２４】
図１に示すように、情報表示装置１０は、広告などの情報を表示する情報表示部としての看板２０と、看板２０に表示されている情報の関連情報を記憶する情報記憶装置３０および情報記憶装置４０とを備えている。
【００２５】
看板２０は、新製品の発売が開始されたことを知らせるための情報であるメッセージ２１と、メッセージ２１の対象の製品の画像２２と、メッセージ２１および画像２２の対象の製品に関する情報を更に取得することができる連絡先をメッセージ２１および画像２２の関連情報として電子機器の利用者に取得させるために利用者に電子機器を接触させる場所を示す領域２３と、メッセージ２１および画像２２の対象の製品の仕様をメッセージ２１および画像２２の関連情報として電子機器の利用者に取得させるために利用者に電子機器を接触させる場所を示す領域２４とを表示している。
【００２６】
なお、関連情報を取得する電子機器は、例えば、スマートフォンなどの携帯端末や、ＰＣ（Ｐｅｒｓｏｎａｌ  Ｃｏｍｐｕｔｅｒ）など、ＩＣ（Ｉｎｔｅｇｒａｔｅｄ  Ｃｉｒｃｕｉｔ）カードリーダーを備えている電子機器である。電子機器は、関連情報を表示する表示装置、すなわち、関連情報表示装置を構成している。
【００２７】
情報記憶装置３０および情報記憶装置４０は、看板２０に埋め込まれている。
【００２８】
図２は、情報記憶装置３０のブロック図である。
【００２９】
図２に示すように、情報記憶装置３０は、連絡先を記憶する情報記憶部としてのＩＣチップ３１と、近距離無線通信によって外部の電子機器に連絡先を送信する情報送信部としての通信部３２と、外部の電子機器から発せられた電磁波によって発電する発電部３３とを備えている。
【００３０】
ＩＣチップ３１は、情報の書き換えが可能な装置である。
【００３１】
発電部３３は、通り抜ける電磁波の変化によって起こる電磁誘導によって発電するために渦巻状に巻かれた配線である。発電部３３は、ＩＣチップ３１と、通信部３２とに電力を供給する。なお、発電部３３は、通信部３２のアンテナを兼ねていても良い。
【００３２】
図１に示す情報記憶装置４０は、看板２０に表示されている製品の仕様を記憶していることを除いて、情報記憶装置３０と同一の構成を有している。
【００３３】
次に、電子機器の利用者によって関連情報が取得される場合の情報表示装置１０の動作について説明する。
【００３４】
図３は、看板２０に表示されている製品に関する情報を更に取得することができる連絡先を利用者に取得させる場合の情報記憶装置３０のフローチャートである。
【００３５】
電子機器の利用者が領域２３に電子機器を接触させると、情報記憶装置３０は、電子機器から発せられた電磁波によって発電部３３で発電し、発電部３３によって発電された電力がＩＣチップ３１および通信部３２に供給されることによって、図３に示す動作を開始する。
【００３６】
図３に示すように、ＩＣチップ３１は、ＩＣチップ３１自身の記憶領域から連絡先を読み出す（Ｓ５１）。
【００３７】
次いで、ＩＣチップ３１は、Ｓ５１において読み出した連絡先を通信部３２を介して外部の電子機器に近距離無線通信によって送信して（Ｓ５２）、図３に示す動作を終了する。
【００３８】
したがって、電子機器は、情報記憶装置３０から送信されてきた連絡先を近距離無線通信によって受信して、受信した連絡先を図示していない表示部に表示することができる。
【００３９】
図４は、看板２０に表示されている製品の仕様を利用者に取得させる場合の情報記憶装置４０のフローチャートである。
【００４０】
電子機器の利用者が領域２４に電子機器を接触させると、情報記憶装置４０は、情報記憶装置３０と同様に発電して、図４に示す動作を開始する。
【００４１】
図４に示すように、情報記憶装置４０のＩＣチップは、パスワードを受け付けるための画面（以下「パスワード受付画面」と言う。）の情報（以下「パスワード受付画面情報」と言う。）をＩＣチップ自身の記憶領域から読み出す（Ｓ６１）。
【００４２】
次いで、情報記憶装置４０のＩＣチップは、Ｓ６１において読み出したパスワード受付画面情報を情報記憶装置４０の通信部を介して外部の電子機器に近距離無線通信によって送信する（Ｓ６２）。
【００４３】
したがって、電子機器は、情報記憶装置４０から送信されてきたパスワード受付画面情報を近距離無線通信によって受信して、受信したパスワード受付画面情報に基づいて図示していない表示部にパスワード受付画面を表示することができる。
【００４４】
図５は、情報記憶装置４０から送信されたパスワード受付画面情報に基づいて電子機器によって表示されるパスワード受付画面７０の一例を示す図である。
【００４５】
図５に示すように、パスワード受付画面７０は、パスワードを入力してから再び領域２４（図１参照。）に電子機器を接触させることを利用者に促すメッセージ７１と、パスワードを入力するためのテキストボックス７２とを含んでいる。
【００４６】
利用者が、電子機器の図示していない操作部を介してテキストボックス７２にパスワードを入力した後、領域２４に電子機器を再び接触させると、図４に示すように、情報記憶装置４０のＩＣチップは、テキストボックス７２に入力されたパスワードを情報記憶装置４０の通信部を介して電子機器から近距離無線通信によって受信する（Ｓ６３）。
【００４７】
次いで、情報記憶装置４０のＩＣチップは、Ｓ６３において受信したパスワードと、ＩＣチップ自身の記憶領域に記憶されているパスワードとが一致するか否かを判断する（Ｓ６４）。
【００４８】
情報記憶装置４０のＩＣチップは、一致しないとＳ６４において判断すると、図４に示す動作を終了する。
【００４９】
一方、情報記憶装置４０のＩＣチップは、一致するとＳ６４において判断すると、看板２０に表示されている製品の仕様をＩＣチップ自身の記憶領域から読み出す（Ｓ６５）。
【００５０】
次いで、ＩＣチップ３１は、Ｓ６５において読み出した仕様を情報記憶装置４０の通信部を介して外部の電子機器に近距離無線通信によって送信して（Ｓ６６）、図４に示す動作を終了する。
【００５１】
したがって、電子機器は、情報記憶装置４０から送信されてきた仕様を近距離無線通信によって受信して、受信した仕様を図示していない表示部に表示することができる。
【００５２】
以上に説明したように、情報表示装置１０は、看板２０に表示されている情報の関連情報を、看板２０とは異なる表示装置である電子機器に、利用者の操作に応じて表示させることができるので、利用者以外の人間に関連情報が視認される可能性を抑えることができる。
【００５３】
情報表示装置１０は、製品の仕様の読み出しにパスワードが必要であるので、特定の利用者、すなわち、パスワードを知っている利用者のみに製品の仕様を取得させることができる。
【００５４】
情報表示装置１０は、本実施の形態において、製品の仕様のみ、すなわち、関連情報の一部のみに対して、読み出しにパスワードが必要である。しかしながら、情報表示装置１０は、全ての関連情報に対して、読み出しにパスワードが必要であっても良い。また、情報表示装置１０は、全ての関連情報に対して、読み出しにパスワードが必要なくても良い。
【００５５】
情報表示装置１０は、情報の書き換えが可能なＩＣチップを情報記憶装置が備えているので、看板２０に表示される情報の変更に応じて、ＩＣチップ内の関連情報も変更されることができる。
【００５６】
看板２０は、ＩＣチップに記憶されている情報を表示するＬＣＤ（Ｌｉｑｕｉｄ  Ｃｒｙｓｔａｌ  Ｄｉｓｐｌａｙ）などの表示装置であっても良い。この構成により、情報表示装置１０は、関連情報だけではなく、看板２０に表示される情報も容易に変更されることができる。
【００５７】
情報表示装置１０は、情報記憶装置３０および情報記憶装置４０が近距離無線通信によって外部の電子機器に関連情報を送信するので、看板２０に表示されている情報の関連情報を電子機器の利用者に容易に取得させることができる。
【００５８】
情報表示装置１０は、外部の電子機器から発せられた電磁波によって発電する発電部を有しているので、ＩＣチップと、通信部とに電力を供給するための大型の装置を情報記憶装置に必要としない。したがって、情報表示装置１０は、小型化することができるとともに、情報記憶装置の配置の自由度を向上することができる。
【００５９】
なお、情報記憶装置は、太陽光発電など、本実施の形態において示した方法以外の方法によって発電する発電部を有していても良い。また、情報記憶装置は、発電部を備えておらずに、電池や、商用電源から電力が供給される構成であっても良い。
【００６０】
情報表示装置１０は、本実施の形態において看板２０に情報記憶装置が埋め込まれている。しかしながら、情報記憶装置は、看板２０から離れた場所に配置されていても良い。例えば、情報記憶装置は、外部の電子機器によって通信部から関連情報を受信している最中の利用者から、看板２０に表示されている情報が視認可能である範囲に配置されていても良い。
【００６１】
情報表示装置１０の情報記憶装置は、本実施の形態において電波によって外部の電子機器と近距離無線通信を行うようになっている。しかしながら、情報記憶装置は、赤外線通信など、電波以外の方法によって外部の電子機器と近距離無線通信を行うようになっていても良い。また、情報記憶装置は、近距離無線通信によってではなく、外部の電子機器と端子同士の物理的な接触によって通信を行うようになっていても良い。
【００６２】
情報表示装置１０は、本実施の形態において外部の電子機器を関連情報表示装置としている。しかしながら、情報表示装置１０は、関連情報表示装置を備えていても良い。例えば、情報表示装置１０は、看板２０とは別に小型の表示装置を関連情報表示装置として備えていても良いし、看板２０が表示装置である場合には看板２０の一部を情報表示部とするとともに看板２０の残部を関連情報表示装置としても良い。情報表示装置１０は、関連情報表示装置を備えている場合、情報送信部の通信方式が有線式であっても良い。
【００６３】
情報表示装置１０は、本実施の形態においてＩＣチップを情報記憶部として備えている。しかしながら、情報表示装置１０は、ＨＤＤ（Ｈａｒｄ  Ｄｉｓｋ  Ｄｒｉｖｅ）など、ＩＣチップ以外の記憶デバイスを情報記憶部として備えていても良い。
【００６４】
情報表示装置１０は、本実施の形態において関連情報として文字情報を例に説明している。しかしながら、情報表示装置１０は、関連情報として、文字情報以外にも、画像、映像、音声など、種々の情報が採用されることができる。
【符号の説明】
【００６５】
１０  情報表示装置
２０  看板（情報表示部、関連情報表示装置）
２１  メッセージ（情報）
２２  画像（情報）
３１  ＩＣチップ（情報記憶部）
３２  通信部（情報送信部）
３３  発電部
【図１】
2017215707.tif 000003
【図２】
2017215707.tif 000004
【図３】
2017215707.tif 000005
【図４】
2017215707.tif 000006
【図５】
2017215707.tif 000007